(57)【特許請求の範囲】
【請求項１】
塵埃を吸引する吸込具と、吸引風を発する電動送風機を内蔵した掃除機本体を具備し、前記吸込具には前記電動送風機の吸引側に連通する吸気通路と電動送風機の排気側に連通され排気の少なくとも一部を吸込具へ還流する排気通路を備えた電気掃除機において、
前記吸込具８は、下面に吸込口１１を有する下吸込具２１と、上面外郭を形成する上吸込具２０と、これら上下吸込具に挟持される中吸込具２３とからなっていて、前記下・中吸込具で吸気通路となる吸込通路２２を形成するとともに中・上吸込具で上下カバー体３０，３１間に形成される排気通路３７と連通する排気用通路を形成し、かつ、
前記吸込通路２２の出口に第１の連結体となるドーナツ状の回動部材２５を気密を確保しつつ回転自在に連結し、当該回動部材２５の開口部に接続管１９の一端を連結して当該接続管１９を前記吸込通路２２に連通させるとともに、同接続管１９の他端は吸気通路３８と排気通路３７を有する連結部２６を接続して、前記吸込通路２２、接続管１９、吸気通路３８を連通させ、かつ、
前記回動部材２５は両側方向に略Ｌ字状の腕部２８を備え、この腕部２８に傾動軸２９を設けて、第２の連結体となる上・下カバー体３０，３１の傾動受け部３２で傾動自在に連結するとともに、内部に排気通路３７を設け、更に、
前記上・下カバー体３０，３１は前記連結部２６を挟み込むことによって固定するとともに連結部２６に接続した接続管１９を挟み込み、かつ、前記接続管１９の左右位置に前記傾動軸２９を介して前記回動部材２５の内部排気通路３７と連通する排気通路３７を形成するとともに、当該排気通路３７の他端側は前記連結部２６の排気通路３７と連通させて、連結部２６の排気通路３７、上・下カバー体３０，３１の排気通路３７、回動部材２５の排気通路３７とつながる排気通路を形成し、更に、
前記回動作部材２５の排気通路３７を前記吸込具８の中・上吸込具間の排気用通路３７に開口させて当該排気用通路３７と前記と上・下カバー体３０，３１の排気通路３７とを連通させた電気掃除機。
【発明の詳細な説明】
【０００１】
【発明の属する技術分野】
本発明は、本体から排出される排気の少なくとも一部を吸込具へ還流する排気循環式電気掃除機に関するものである。
【０００２】
【従来の技術】
従来、この種の電気掃除機に用いる吸込具は、図６〜図８に示すように構成していた。以下、その構成について説明する。
【０００３】
掃除機本体１０１は、内部に塵埃を集塵する集塵室１０２と電動送風機１０３を備えており、この掃除機本体１０１の集塵室１０２に連通するようにホース１０４の一端を接続している。ホース１０４の他端には上方に握り部となる手元ハンドル１０５を設けたパイプ１０６を取り付けている。手元ハンドル１０５を備えたパイプ１０６に連通するように延長管１０７の一端をパイプ１０６に接続し、延長管１０７の他端に吸込具１０８を取り付けている。
【０００４】
吸込具１０８は、図８に示すように前後の長さが左右の長さよりも短い吸込具本体１０９と、この吸込具本体１０９の後方に設け、延長管を接続する接続部１１０よりなり、吸込具本体１０９の下面の略中央に吸込口１１１を設けている。また、吸込口１１１内に塵埃を掻き上げるための回転ブラシ１１３を設け、吸込具本体１０９内に配した駆動モーター１１４より、ベルトまたはギアを介して回転力を伝達している。
【０００５】
接続部１１０は、吸込具本体１０９との接続面に対して回動可能に取り付けた第１の連結体１１７と、この第１の連結体１１７に対して傾動可能に取り付けた第２の連結体１１８とで構成している。
【０００６】
吸込具本体１０９は、上面外郭を形成する上吸込具１２０と吸込口１１１を有する下吸込具１２１と前記上吸込具１２０と下吸込具１２１に狭持される中吸込具１２３を具備し、前記吸込口１１１に連通して下吸込具１２１と中吸込具１２３で吸込室１１２を形成し、接続管１１９の吸気路１３８と連通している。
【０００７】
接続部１１０が接続される吸込具本体１０９の後方には、上吸込具１２０と下吸込具１２１で形成される回動受け部１２４を環状溝部に形成している。また第１の連結体１１７には、図７に示すように、回動受け部１２４の環状溝に嵌合する環状溝を周囲に設けたドーナツ状の回動部材１２５を設けている。このように回動受け部１２４の溝と回動部材１２５の溝とを嵌合することで、回動部分における気密性を確保しつつ連結している。
【０００８】
接続部１１０は接続管１１９と接続管１１９の外周に形成された環状壁１１６とから構成され、環状壁１１６の両側面には左右方向に突出させて形成した傾動軸１２９を設けており、第２の連結体１１８を構成する上カバー体１３０と下カバー体１３１とに設けた傾動受け部１３２で傾動軸１２９を挟み込むことで傾動自在に連結している。また傾動軸１２９の内部には、接続管１１９と環状壁１１６との間に形成された排気通路１３７に連通する流路１２２が形成されており、上吸込具１２０と中吸込具１２３とで形成される通路１１５を介して、中吸込具１２３前端の排出口１４２より還流した排気を吸込室１１２に排出している。
【０００９】
【発明が解決しようとする課題】
このような従来の構成では、接続部１１０に吸気路および排気通路を構成するために、大型の中吸込具１２３を設けて上吸込具１２０、下吸込具１２１と組合せねばならず、気密性を保つために構造が複雑になる問題があった。また重量も増大して、重い吸込具を操作せねばならず、使い勝手が悪かった。
【００１０】
本発明は上記従来の課題を解決するもので、排気循環式において、吸込具を被掃除面に対して広範囲に回動できるようにして使い勝手を向上させた電気掃除機を提供することを目的としている。
【００１１】
【課題を解決するための手段】
本発明は上記目的を達成するために、塵埃を吸引する吸込具と、吸引風を発する電動送風機を内蔵した掃除機本体を具備し、前記吸込具には前記電動送風機の吸引側に連通する吸気通路と電動送風機の排気側に連通され排気の少なくとも一部を吸込具へ還流する排気通路を備えた電気掃除機において、
前記吸込具８は、下面に吸込口１１を有する下吸込具２１と、上面外郭を形成する上吸込具２０と、これら上下吸込具に挟持される中吸込具２３とからなっていて、前記下・中吸込具で吸気通路となる吸込通路２２を形成するとともに中・上吸込具で上下カバー体３０，３１間に形成される排気通路３７と連通する排気用通路を形成し、かつ、
前記吸込通路２２の出口に第１の連結体となるドーナツ状の回動部材２５を気密を確保しつつ回転自在に連結し、当該回動部材２５の開口部に接続管１９の一端を連結して当該接続管１９を前記吸込通路２２に連通させるとともに、同接続管１９の他端は吸気通路３８と排気通路３７を有する連結部２６を接続して、前記吸込通路２２、接続管１９、吸気通路３８を連通させ、かつ、
前記回動部材２５は両側方向に略Ｌ字状の腕部２８を備え、この腕部２８に傾動軸２９を設けて、第２の連結体となる上・下カバー体３０，３１の傾動受け部３２で傾動自在に連結するとともに、内部に排気通路３７を設け、更に、
前記上・下カバー体３０，３１は前記連結部２６を挟み込むことによって固定するとともに連結部２６に接続した接続管１９を挟み込み、かつ、前記接続管１９の左右位置に前記傾動軸２９を介して前記回動部材２５の内部排気通路３７と連通する排気通路３７を形成するとともに、当該排気通路３７の他端側は前記連結部２６の排気通路３７と連通させて、連結部２６の排気通路３７、上・下カバー体３０，３１の排気通路３７、回動部材２５の排気通路３７とつながる排気通路を形成し、更に、
前記回動作部材２５の排気通路３７を前記吸込具８の中・上吸込具間の排気用通路３７に開口させて当該排気用通路３７と前記と上・下カバー体３０，３１の排気通路３７とを連通させたものである。
【００１２】
これにより、排気循環式電気掃除機において、吸込具を被掃除面に対して広範囲に回動できるようにして使い勝手を向上させたものを、部品点数を増やすこと無しに安価に供給することができる。
【００１３】
【発明の実施の形態】
本発明の請求項１記載の発明は、塵埃を吸引する吸込具と、吸引風を発する電動送風機を内蔵した掃除機本体を具備し、前記吸込具には前記電動送風機の吸引側に連通する吸気通路と電動送風機の排気側に連通され排気の少なくとも一部を吸込具へ還流する排気通路を備えた電気掃除機において、
前記吸込具８は、下面に吸込口１１を有する下吸込具２１と、上面外郭を形成する上吸込具２０と、これら上下吸込具に挟持される中吸込具２３とからなっていて、前記下・中吸込具で吸気通路となる吸込通路２２を形成するとともに中・上吸込具で上下カバー体３０，３１間に形成される排気通路３７と連通する排気用通路を形成し、かつ、
前記吸込通路２２の出口に第１の連結体となるドーナツ状の回動部材２５を気密を確保しつつ回転自在に連結し、当該回動部材２５の開口部に接続管１９の一端を連結して当該接続管１９を前記吸込通路２２に連通させるとともに、同接続管１９の他端は吸気通路３８と排気通路３７を有する連結部２６を接続して、前記吸込通路２２、接続管１９、吸気通路３８を連通させ、かつ、
前記回動部材２５は両側方向に略Ｌ字状の腕部２８を備え、この腕部２８に傾動軸２９を設けて、第２の連結体となる上・下カバー体３０，３１の傾動受け部３２で傾動自在に連結するとともに、内部に排気通路３７を設け、更に、
前記上・下カバー体３０，３１は前記連結部２６を挟み込むことによって固定するとともに連結部２６に接続した接続管１９を挟み込み、かつ、前記接続管１９の左右位置に前記傾動軸２９を介して前記回動部材２５の内部排気通路３７と連通する排気通路３７を形成するとともに、当該排気通路３７の他端側は前記連結部２６の排気通路３７と連通させて、連結部２６の排気通路３７、上・下カバー体３０，３１の排気通路３７、回動部材２５の排気通路３７とつながる排気通路を形成し、更に、
前記回動作部材２５の排気通路３７を前記吸込具８の中・上吸込具間の排気用通路３７に開口させて当該排気用通路３７と前記と上・下カバー体３０，３１の排気通路３７とを連通させたもので、排気循環式電気掃除機において、被掃除面に対して広範囲に回動できるようにして使い勝手を向上させた吸込具を、部品点数を増やすこと無しに安価に供給することができる。
【００１４】
【実施例】
以下、本発明の実施例を、図１〜図５を用いて説明する。
【００１５】
掃除機本体１は、内部に塵埃を集塵する集塵室２と電動送風機３を備えており、この掃除機本体１の集塵室２に連通するようにホース４の一端を接続している。ホース４の他端には上方に握り部となる手元ハンドル５を設けたパイプ６を取り付けている。手元ハンドル５を備えたパイプ６に連通するように延長管７の一端をパイプ６に接続し、延長管７の他端に吸込具８を取り付けている。
【００１６】
吸込具８は、図に示すように前後の長さが左右の長さよりも短い吸込具本体９と、この吸込具本体９の後方に設け、延長管７を接続する接続部１０よりなり、吸込具本体９の下面の略中央に吸込口１１を設けている。また、吸込口１１内に塵埃を掻き上げるための回転ブラシ１３を設け、吸込具本体９内に配した駆動モーター１４より、ギアを介して回転力を伝達している。
【００１７】
接続部１０は、吸込具本体９との接続面に対して回動可能に取り付けた第１の連結体１７と、この第１の連結体１７に対して傾動可能に取り付けた第２の連結体１８とで構成し、第１の連結体１７と第２の連結体１８とを、ブロ−成形の可とう性を有する接続管１９を介して連結している。
【００１８】
吸込具本体９は、上面外郭を形成する上吸込具２０と前記吸込口１１を有する下吸込具２１と前記上吸込具２０と下吸込具２１に狭持される中吸込具２３を具備し、前記吸込口１１に連通して上吸込具２０と下吸込具２１で吸込室１２を形成し、下吸込具２１と中吸込具２３で形成される吸気通路である吸込通路２２を接続管１９と連通し、中吸込具２３と上吸込具２０で形成される通路１５を上カバ−体３０と下カバ−体３１とで形成した排気通路３７と連通し、中吸込具２３前端の排出口４２より還流した排気を吸込室１２に排出している。なお、上記実施例では、カバ−体を上下２分割としているが、特にそれに限定されるものではなく、要は２分割であれば同様の効果があることは言うまでもない。
【００１９】
中吸込具２３の左右には回転ブラシ１３の回転停止を制御する制御基板３９とスイッチ４０を配置し、これら制御基板３９とスイッチ４０を電気的に接続する導電線４１を排出口４２の上方に配置し、前記導電線４１と排出口４２の間に通気性のパッキン４３を配置している。
【００２０】
接続部１０が接続される吸込具本体９の後方には、吸込通路２２の出口を設け、この出口には上吸込具２０と下吸込具２１で形成される回動受け部２４が位置している。この回動受け部２４は吸込通路２２の出口より径大な環状溝部により形成している。
【００２１】
第１の連結体１７には、図２に示すように、回動受け部２４の環状溝に嵌合する環状溝を周囲に設けたドーナツ状の回動部材２５を設けている。このように回動受け部２４の溝と回動部材２５の溝とを嵌合することで、回動部分における気密性を確保しつつ連結している。
【００２２】
回動部材２５の開口部には接続管１９の一端が連結され、吸込通路２２の出口と接続管１９の一端が連通される。接続管１９の他端は断面形状を徐々に小さくして、端面１６形状を連結部２６の吸気通路３８断面形状と同じＤカット状に形成し連結部２６に接続している。また、連結部２６の吸気通路３８の上方には、排気通路３７が設けてある。さらに、接続管１９の両端には曲がり部２７ａ、２７ｂを設けており、図２に示すように接続部１０は第１の連結体１７と接続管１９の接続部２７ａ、第２の連結体１８と接続管１９の接続部２７ｂ部分で屈曲させており、第２の連結体１８の傾動角度の中間付近で傾くように構成している。また連結部２６内部の排気通路３７長さＬ１を吸気通路３８長さＬ２より短く形成している。
【００２３】
第１の連結体１７の一部を構成する回動部材２５には、両側方向に略Ｌ字状の腕部２８が延び、この腕部２８には第２の連結体１８と接続するための傾動軸２９を形成し、第２の連結体１８を構成する上カバー体３０と下カバー体３１とに設けた傾動受け部３２で傾動軸２９を挟み込むことで傾動自在に連結しているとともに内部には排出口４２より排気を排出するための排気の排気通路３７を備えている。また、接続管１９と接続している連結部２６も上カバー体３０と下カバー体３１とで挟み込むことで固定しているとともに、前記接続管１９に対して上方から見て略対称なる左右位置に２つの排気通路３７を形成することで、各連結部２６、第１の連結体１７、第２の連結体１８の排気通路３７は連通するよう構成されている。
【００２４】
接続管１９の管方向に垂直なＡ−Ａ断面形状において、上及び下部分は円弧状としているのに対して、両サイドは直線状とした小判型形状にしており、第２の連結体１８を構成する上カバー体３０、下カバー体３１には接続管１９の両サイドの直線部分に平行に、接続管１９の傾動に支障の起こらない範囲で隙間を設けて壁３３を左右に設けている。
【００２５】
上記構成による作用は以下の通りである。
【００２６】
連結部２６および上カバ−体３０、下カバ−体３１に吸込具８への排気通路３７を形成しているため、新たな部品を増やすことなしに安価に供給することができる。また、接続管１９自体は２重管または２分割構造とする必要がないため、ブロ−成形が可能となる。また、カバ−体を上下２分割の部品で形成しているため、カバ−体の金型構成が簡単にでき、排気通路３７を容易に構成することができる。
【００２７】
可とう性を有する接続管１９の連結部２６側断面形状を徐々に小さくして、端面１６形状を連結部２６の吸気通路３８断面形状と同じＤカット状に形成しているため、接続管１９と連結部２６のインサ−ト成形を可能にする。また接続管１９と連結部２６の吸気通路３８がなだらかにつながるため、塵埃の引掛かりや吸気の乱流による騒音の発生を最小限にとどめることができる。
【００２８】
さらに連結部２６内部の排気通路３７長さＬ１を吸気通路３８長さＬ２より短く形成しているため、連結部２６をインサ−ト成形する際の排気通路３７側の細い金型中子が短くなり、成形時の射出圧による中子のぶれが小さくなるため、成形精度を高めることができる。
【００２９】
中吸込具２３と上吸込具２０で形成される通路１５を、連結部２６や上カバ−体３０、下カバ−体３１で形成した排気通路３７と連通し、中吸込具２３の前端部の排出口４２より還流した排気を吸込室１２に排出しているため、排気通路３７を通った循環排気が最短距離で吸込室１２に到達することで排気通路３７の圧損による風量の低下を最小限に留められるため、循環排気を絨毯等の被掃除面や回転ブラシ１３に吹き付けてそれらに付着している塵埃を吸込みやすくすることを、より有効に行うことができる。
【００３０】
また中吸込具２３の左右には回転ブラシ１３の回転停止を制御する制御基板３９とスイッチ４０を配置し、これら制御基板３９とスイッチ４０を電気的に接続する導電線４１を排出口４２の上方通路に配置し、前記導電線４１と排出口４２の間に通気性のパッキン４３を配置しているため、排出口４２からの制御基板３９やスイッチ４０への塵埃の侵入や、針等の鋭利な塵埃による導電線４１への傷付けを防止できる。また導電線４１によりパッキン４３を上方から押し付けるため、パッキン４３の浮上がりを防止できる。
【００３１】
【発明の効果】
本発明によれば、排気循環式電気掃除機において、吸込具を被掃除面に対して広範囲に回動できるようにして使い勝手を向上させたものを、部品点数を増やすこと無しに安価に供給することができる。
【図面の簡単な説明】
【図１】  本発明の実施例を示す電気掃除機の斜視図
【図２】  同電気掃除機の吸込具の横断面図
【図３】  （ａ）同電気掃除機の吸込具の連結部を通路側から見た図
（ｂ）同電気掃除機の吸込具上面の部分断面図
【図４】  図２のＡ−Ａ断面図
【図５】  同電気掃除機の中吸込具の正面図
【図６】  従来の電気掃除機の斜視図
【図７】  同電気掃除機の吸込具の横断面図
【図８】  同電気掃除機の吸込具上面の部分断面図
【符号の説明】
１    掃除機本体
３    電動送風機
８    吸込具
１０  接続部
１１  吸込口
１２  吸込室
１３  回転ブラシ
１９  接続管
２０  上吸込具
２１  下吸込具
２３  中吸込具
２６  連結部
３０  上カバ−体
３１  下カバ−体
３７  排気通路
３８  吸気通路
３９  制御基板
４０  スイッチ
４１  導電線
４２  排出口
４３  パッキン
【図１】
0003753008.tif 000002
【図２】
0003753008.tif 000003
【図３】
0003753008.tif 000004
【図４】
0003753008.tif 000005
【図５】
0003753008.tif 000006
【図６】
0003753008.tif 000007
【図７】
0003753008.tif 000008
【図８】
0003753008.tif 000009